(57)【要約】      （修正有）【課題】良好な識別精度を有し、大量の情報量を備えるドットコード情報配列の設計を提供する。【解決手段】ドットコード情報配列１０は、イニシャルドットコード列１０ａと、イニシャルドットコード列に隣接して配列する少なくとも一の第１データドットコード列１０ｂ、１０ｄと、第１データドットコード列に隣接して配列する少なくとも一の第２データドットコード列１０ｃとを含む。イニシャルドットコード列は所定ピッチで配列されて列となす複数の第１ドット１６ａを含み、且つ各第１ドットはイニシャルドットコード列中に同一の第１配置形態を有する。第１データドットコード列は複数の第２ドット１６ｂを含み、そのうち一つは第１配置形態を有し、その他は第１配置形態と異なる第２配置形態を有する。第２データドットコード列は複数の第２ドットを有し、そのうち一つは第１、第２配置形態と異なる第３配置形態を有し、且つその他は第２配置形態を有する。【選択図】図１
2017010561.tif 000002
【特許請求の範囲】
【請求項１】
物体表面上に形成され、且つインジケータのデータに対応するドットコード情報配列であって、
前記ドットコード情報配列は、複数の連続して配列するドットコード列を含み、且つ前記複数のドットコード列は、
イニシャルドットコード列と、
前記イニシャルドットコード列に隣接して配列する少なくとも一の第１データドットコード列と、
前記第１データドットコード列に隣接して配列する少なくとも一の第２データドットコード列と、を含み、
前記イニシャルドットコード列は、所定ピッチで配列されて列となす複数の第１ドットを含み、且つ前記各第１ドットはイニシャルドットコード列中に同一の第１配置形態を有し、
前記第１データドットコード列は、前記イニシャルドットコード列の数量と同一の複数の第２ドットを有し、前記複数の第２ドットのうちの一つは前記第１配置形態を有し、残りの第２ドットは前記第１配置形態と異なる第２配置形態を有し、且つ前記第２配置形態は複数の配置可能位置に対応して異なるビット値を表し、
前記第２データドットコード列は、前記イニシャルドットコード列の数量と同一の複数の第２ドットを有し、前記複数の第２ドットのうち一つは前記第１、前記第２配置形態と異なる第３配置形態を有し、且つその他の第２ドットは前記第２配置形態を有し、且つ複数の配置可能位置に対応して異なるビット値を表し、前記第３配置形態は前記第１配置形態を有するドットを前記複数の第１ドットのライン方向に平行または垂直に一定距離偏移させて形成される
ことを特徴とするドットコード情報配列。
【請求項２】
前記イニシャルドットコード列は、前記ドットコード情報配列の長さ範囲を定義することを特徴とする請求項１記載のドットコード情報配列。
【請求項３】
前記イニシャルドットコード列が占有する領域は、複数の状態エリアに区分され、且つ各前記状態エリアは前記複数の第１ドットのうちの一つを設けることを特徴とする請求項１記載のドットコード情報配列。
【請求項４】
前記第１配置形態は、各前記第１ドットを状態エリアの中心位置に配置することを特徴とする請求項３記載のドットコード情報配列。
【請求項５】
各前記第１データドットコード列が占有する領域は、前記イニシャルドットコード列の数量と同一の複数の状態エリアに区分され、
各前記第２データドットコード列が占有する領域は、前記イニシャルドットコード列の数量と同一の複数の状態エリアに区分され、
各前記状態エリアは前記複数の第２ドットのうち一つを設け、前記第２配置形態を有する前記第２ドットの状態エリアの配置可能位置は、前記第３配置形態を有する第２ドットの状態エリアの配置位置と異なり、且つ前記第２配置形態を有する前記第２ドットの状態エリアの配置可能位置は、前記第１配置形態を有する前記第１ドットの状態エリアの配置位置と異なる
ことを特徴とする請求項３記載のドットコード情報配列。
【請求項６】
前記第１データドットコード列の前記第２配置形態を有する各前記第２ドットは、状態エリアにおいて６種の異なる配置可能位置を有し、且つ前記第２データドットコード列の前記第２配置形態を有する各前記第２ドットは、状態エリアにおいて４種の異なる配置可能位置を有することを特徴とする請求項５記載のドットコード情報配列。
【請求項７】
前記第１データドットコード列の前記第２配置形態を有する各前記第２ドットは、状態エリアにおいて８種の異なる配置可能位置を有し、且つ前記第２データドットコード列の前記第２配置形態を有する各前記第２ドットは、状態エリアにおいて４種の異なる配置可能位置を有することを特徴とする請求項５記載のドットコード情報配列。
【請求項８】
物体表面に形成され且つインジケータのデータに対応するドットコード情報配列であって、
前記ドットコード情報配列は、複数の連続して配列するドットコード列を含み、且つ前記複数のドットコード列は、
イニシャルドットコード列と、
前記イニシャルドットコード列に隣接して配列する複数のデータドットコード列と、
を含み、
前記イニシャルドットコード列は、所定ピッチにより配列された列の複数の第１ドットを含み、且つ各前記第１ドットは前記イニシャルドットコード列中に同一の第１配置形態を有し、
各前記データドットコード列は、前記イニシャルドットコード列の数量と同一の複数の第２ドットを有し、
前記複数の第２ドットのうちの一つは前記第１配置形態を有し、且つその他の第２ドットは前記第１配置形態と異なる第２配置形態を有し、そのうち前記第２配置形態は複数の配置可能位置に対応して異なるビット値を表し、且つ前記複数のデータドットコード列中の少なくとも一のデータドットコード列の前記第１配置形態を有する前記第２ドットのデータドットコード列中の順位は、その他のデータドットコード列の前記第１配置形態を有する前記第２ドットのデータドットコード列中の順位と異なる
ことを特徴とするドットコード情報配列。
【請求項９】
前記イニシャルドットコード列は、前記ドットコード情報配列の長さ範囲を定義することを特徴とする請求項８記載のドットコード情報配列。
【請求項１０】
前記イニシャルドットコード列が占有する領域は、複数の状態エリアに区分され、且つ各前記状態エリアは前記複数の第１ドットのうちの一つを設けることを特徴とする請求項８記載のドットコード情報配列。
【請求項１１】
前記第１配置形態は、各前記第１ドットをそれぞれの状態エリアの中心位置に配置することを特徴とする請求項１０記載のドットコード情報配列。
【請求項１２】
各前記データドットコード列が占有する領域は、前記イニシャルドットコード列の数量と同一の複数の状態エリアに区分され、
各第２データドットコード列が占有する領域は、前記イニシャルドットコード列の数量と同一の複数の状態エリアに区分され、
各前記状態エリアは前記複数の第２ドットのうち一つを設け、且つ前記第２配置形態を有する前記第２ドットの状態エリアの配置可能位置は、前記第１配置形態を有する前記第２ドットの状態エリアの配置位置と異なる
ことを特徴とする請求項１０記載のドットコード情報配列。
【請求項１３】
前記複数の第１ドット及び前記複数の第２ドットは、円ドット状を呈することを特徴とする請求項１または請求項８記載のドットコード情報配列。
【発明の詳細な説明】
【技術分野】
【０００１】
本発明は、画像識別（pattern/image recognition）を利用して読み取ることができるドットコード情報配列に関し、当該ドットコード情報配列は物体表面上に形成され、且つインジケータのデータに対応する。
【背景技術】
【０００２】
ドットコード情報配列は、多くの画像マイクロユニット（graphical micro-units）を組み合わせてなり、画像マイクロユニットは非常に微小であるために、視覚的に見過ごされやすい、又は人の目には背景色と解読される。ドットコード情報配列とメイン情報（main information）は、例えば印刷などの方法により、例えば紙等の物体表面に共同形成される。ドットコード情報配列はインジケータのデータに対応し、且つ人の目のメイン情報の取得に影響せず、且つ光学デバイスが物体表面を読み取り、拡大影像を取得し、更に拡大影像中からドットコード情報配列を取り出し、更にデジタルデータに変換することにより、デジタルデータに対応する情報を取得する。そこで、ドットコード情報配列の設計の情報量及び識別精度を如何に向上させるかが重要課題となっている。
【発明の概要】
【発明が解決しようとする課題】
【０００３】
本発明は、良好な識別精度を有し、大量の情報量を備えるドットコード情報配列の設計を提供する。
【課題を解決するための手段】
【０００４】
本発明の実施例に基づく設計によれば、ドットコード情報配列は、物体表面上に形成され、且つインジケータのデータに対応し、ドットコード情報配列は、複数の連続して配列するドットコード列を含み、且つこれらドットコード列はイニシャルドットコード列と、イニシャルドットコード列に隣接して配列する少なくとも一の第１データドットコード列と、第１データドットコード列に隣接して配列する少なくとも一の第２データドットコード列とを含む。イニシャルドットコード列は、所定ピッチで配列されて列となす複数の第１ドットを含み、且つ各第１ドットはイニシャルドットコード列中に同一の第１配置形態を有する。第１データドットコード列は、イニシャルドットコード列の数量と同一の複数の第２ドットを有し、複数の第２ドットのうちの一つは第１配置形態を有し、残りの第２ドットは第１配置形態と異なる第２配置形態を有し、且つ第２配置形態は複数の配置可能位置に対応して異なるビット値を表す。第２データドットコード列は、イニシャルドットコード列の数量と同一の複数の第２ドットを有し、複数の第２ドットのうち一つは第１、第２配置形態と異なる第３配置形態を有し、且つその他の第２ドットは第２配置形態を有するとともに複数の配置可能位置に対応して異なるビット値を表す。第３配置形態は第１配置形態を有するドットを複数の第１ドットのライン方向に平行または垂直に一定距離偏移させて形成される。
【０００５】
本発明の別の実施例の設計によれば、ドットコード情報配列は、物体表面に形成され且つインジケータのデータに対応し、ドットコード情報配列は、複数の連続して配列するドットコード列を含み、且つこれらドットコード列はイニシャルドットコード列と、イニシャルドットコード列に隣接して配列する複数のデータドットコード列とを含む。イニシャルドットコード列は所定ピッチにより配列された列の複数の第１ドットを含み、且つ各第１ドットはイニシャルドットコード列中に同一の第１配置形態を有する。各データドットコード列は、イニシャルドットコード列の数量と同一の複数の第２ドットを有し、複数の第２ドットのうちの一つは第１配置形態を有し、且つその他の第２ドットは第１配置形態と異なる第２配置形態を有し、そのうち第２配置形態は複数の配置可能位置に対応して異なるビット値を表し、且つ複数のデータドットコード列中の少なくとも一のデータドットコード列の第１配置形態を有する第２ドットのデータドットコード列中の順位は、その他のデータドットコード列の第１配置形態を有する第２ドットのデータドットコード列中の順位と異なる。
【発明の効果】
【０００６】
上記各実施例の設計により、迅速な方向付け効果及び良好な識別精度を提供でき、且つより少ないドット数により大量の情報量を提供し、こうすることで優れた視覚効果を提供でき、且つ人の目にドットコード情報配列の存在を感知しにくく、ドットコード情報配列を共存するメイン情報を混乱させない。この他、連続的にデータドットコード列の数量を拡充することにより、ドットコード情報配列を設置しようとする物体表面の形態、大きさ、必要なデータ量、読み取り方式などの要因により、データドットコード列の数量を弾性的に変更でき、ドットコード情報配列の運用をさらに広くし且つ便利なものとし、またドットコード情報配列中の各データドットコード列の状態エリアの個数は全く限定されず、そして実際のロードされる情報に応じて、所定のドット配列ルール（例えば本発明の各実施例に例示されるが、これに限定されない）により拡充または変更できる。
【０００７】
本発明のその他の目的及びメリットは本発明に開示された技術特徴によりさらに理解できる。本発明の上記及びその他の目的、特徴とメリットをさらに明確に理解するために、以下において実施例を挙げるとともに、図面を合わせて、詳細に説明する。
【図面の簡単な説明】
【０００８】
【図１】本発明の実施例のドットコード情報配列の概略図である。
【図２Ａ】図１のドットコード情報配列の情報ドットの状態エリアにおける配置方法である。
【図２Ｂ】図１のドットコード情報配列の情報ドットの状態エリアにおける配置方法である。
【図３Ａ】ドットコード情報配列の異なるドット配置形態を説明した比較図である。
【図３Ｂ】ドットコード情報配列の異なるドット配置形態を説明した比較図である。
【図３Ｃ】ドットコード情報配列の異なるドット配置形態を説明した比較図である。
【図４】本発明の別の実施例のドットコード情報配列の概略図である。
【図５Ａ】図４のドットコード情報配列の情報ドットの状態エリアにおける配置方法である。
【図５Ｂ】図４のドットコード情報配列の情報ドットの状態エリアにおける配置方法である。
【図６】本発明の別の実施例のドットコード情報配列の概略図である。
【発明を実施するための形態】
【０００９】
本発明の前述及びその他の技術内容、特徴及び効果に関し、以下において図面の実施例の詳細を参照しながら説明していく中で、明らかに理解できる。以下、実施例中の方向用語、例えば上、下、左、右、前又は後などは、図面における参考の方向に過ぎない。従って、使用する方向の用語は説明に用いられるのであって、本発明を制限するものではない。
【実施例】
【００１０】
図１は、本発明の実施例のドットコード情報配列１０の概略図である。ドットコード情報配列１０は、物体表面上に形成され、且つインジケータのデータに対応し、ドットコード情報配列１０は、連続して配列した複数のドットコード列を含む。複数のドットコード列は、例えば、少なくとも一のイニシャルドットコード列と、複数のデータドットコード列を含み、且つイニシャルドットコード列下方に続くデータドットコード列の数量は完全に限定されず、例えば、ドットコード情報配列１０が伴う情報量により変更してもよい。図１に示されるように、ドットコード情報配列１０は、イニシャルドットコード列１０ａ及びイニシャルドットコード列１０ａ下方に続く３つのデータドットコード列１０ｂ、１０ｃ、１０ｄを含んでいることを例示している。イニシャルドットコード列１０ａは全て位置決めドット１６ａからなり、本実施例において、イニシャルドットコード列の４つの位置決めドット１６ａは、所定ピッチにより一列に配列されてドットコード情報配列１０の長さの範囲を定義し、４つの位置決めドット１６ａは、ライン方向Ｐを形成でき、且つ各位置決めドット１６ａがイニシャルドットコード列１０ａにおいて同一の第１配置形態を有する。例えば、イニシャルドットコード列１０ａが占有する領域は、４つの例えば等面積の状態エリア１８に区分され、各状態エリア１８は複数の位置決めドット１６ａのうちの一つを設け、且つ第１配置形態は例えば四つの位置決めドット１６ａをそれぞれの状態エリア１８の固定位置（例えば中心位置）にそれぞれ配置される。
【００１１】
データドットコード列１０ｂ、１０ｃ、１０ｄは、イニシャルドットコード列１０ａの一側に隣接し連続して配列され、且つ各データドットコード列の長さはイニシャルドットコード列１０ａの長さ範囲と同一である。本実施例において、複数のデータドットコード列１０ｂ、１０ｃ、１０ｄは、第１データドットコード列１０ｂ、１０ｄ及び第２データドットコード列１０ｃの２種の異なる形式に区分できる。第１データドットコード列１０ｂを例にすると、第１データドットコード列１０ｂは、イニシャルドットコード列１０ａの数量と同一の複数のドット（例えば４個）を有することができ、且つこれらドット中の一つは、前記第１配置形態を有する位置決めドット１６ａであってもよく、その他のドットは、前記第１配置形態と異なる第２配置形態を有するデータドット１６ｂである。例えば、第１データドットコード列１０ｂが占有する領域は同様に、４つの等面積の状態エリア１８に区分することができ、且つ各状態エリア１８の大きさはイニシャルドットコード列１０ａの状態エリア１８と同一である。第１データドットコード列１０ｂは、左から右へ順に第１、第２、第３及び第４状態エリア１８を有し、且つ４つの状態エリア１８内にそれぞれ配置された１つの位置決めドット１６ａ及び３つのデータドット１６ｂを含み、且つ位置決めドット１６ａは３つのデータドット１６ｂの配列順序を決定する。例えば、本実施例の位置決めドット１６ａは第１順位（最も左側）の状態エリア１８に位置する。第１データドットコード列１０ｂの位置決めドット１６ａはイニシャルドットコード列１０ａの位置決めドット１６ａと同一の第１配置形態（例えば状態エリア１８の中心位置に配置される）を有し、第１データドットコード列１０ｂのデータドット１６ｂは、第１配置形態と異なる第２配置形態を有し、前記第２配置形態は、例えば各データドット１６ｂがそれぞれの状態エリア１８において複数の配置可能位置を有し、且ついかなる配置可能位置も位置決めドット１６ａの位置と同一にはならない。
【００１２】
第２データドットコード列１０ｃは、イニシャルドットコード列１０ａの数量と同一の複数ドットを有してもよく、且つこれらドットのうち一つが前記第１、第２配置形態と異なる第３配置形態を有する位置決めドット１６ａ'であってもよく、その他のドットは前記第２配置形態を有するデータドット１６ｂである。第２データドットコード列１０ｃが占有する領域も同様に４つの等面積の状態エリア１８に区分され、且つ各状態エリア１８の大きさはイニシャルドットコード列１０ａの状態エリア１８と同一である。本実施例において、第２データドットコード列１０ｃの位置決めドット１６ａ'の第３配置形態は、第１配置形態を有するドット（例えば状態エリア１８の中心位置）をライン方向Ｐに平行に又はライン方向Ｐに垂直に所定距離偏移して形成されてもよい（図１において右へ所定距離偏移する）。第２データドットコード列１０ｃのデータドット１６ｂは、第１データドットコード列１０ｂ、１０ｄのデータドット１６ｂと同一の第２配置形態を有し、第２配置形態下のデータドット１６ｂは、状態エリアのいかなる配置可能位置において位置決めドット１６ａ、１６ａ'と状態エリアの位置は同一にならない。
【００１３】
本実施例において、各データドットコード列１０ｂ−１０ｄのデータドット１６ｂはそれぞれの状態エリア１８の異なる配置位置を利用して、対応したインジケータのデータ中の個別数値を表すことができる。ユーザーは光学デバイス（図示せず）により物体表面を読み取りドットコード情報配列１０の画像を取得したのち、まず、ドットコード情報配列１０の各位置決めドット１６ａ，１６ａ'を識別し、ドットコード情報配列１０に対し方向付けする。最も左側の４つの位置決めドット中に、第３配置形態を有する偏移位置決めドット１６ａ'を含むので、上方のイニシャルドットコード列はいずれも第１配置形態を有する位置決めドット１６ａであり（偏移位置決めドット１６ａ'を含まない）、第１配置形態は第３配置形態とは異なるので、最も左側の４つの位置決めドットをイニシャルドットコード列と誤判せずに、データドットコード列１０ｂ‐１０ｄの状態組み合わせを正確にキャプチャすることができる。
【００１４】
実施例において、第１データドットコード列１０ｂ、１０ｄにおいて、第２配置形態を有する各データドット１６ｂは、図２Ａに示されるように状態エリア１８において６種の異なる配置可能位置を有することにより対応したインジケータのデータ中の個別数値を表すことができる。第２データドットコード列１０ｃにおいて、第２配置形態を有する各データドット１６ｂは、図２Ｂに示されるように状態エリア１８において４つの異なる配置可能位置を有することにより対応したインジケータのデータ中の個別数値を表す。従って、一つのデータドットコード列１０ｂだけを配置する場合、63(=216)種の状態の組み合わせを生成することができ、二つのデータドットコード列１０ｂ、１０ｃを配置する場合、63×43 (=13824)種の状態の組み合わせを生成することができ、３つのデータドットコード列１０ａ，１０ｂ，１０ｃまで拡充する場合、63×43×63 (=2985984)種の状態の組み合わせを生成することができる。このようにドットコード情報配列１０が設置しようとする物体表面の形態、大きさ、必要なデータ量、読み取り方法などの要因により、データドットコード列の数量を弾性的に変更できる。上記実施例の設計により、迅速な方向付け効果及び良好な識別精度を提供することができ、少ないドット数でも大量な情報量が提供できる。このように優れた視覚効果が提供でき、且つ人の目にはドットコード情報配列の存在が感知しにくく共存するメイン情報を混乱させることがない。そのほか、データドットコード列の数量を連続的に拡充する方法により、ドットコード情報配列を設置しようとする物体表面の形態、大きさ、必要なデータ量、読み取り方法などの要因により、データドットコード列の数量を弾性的に変更でき、ドットコード情報配列の運用がさらに広く且つ便利になり、またドットコード情報配列中の各データドットコード列の状態エリアの数量が完全に限定されない。そして実際にロードする情報に応じて、所定のドット配置規定により（例えば、本発明の各実施例に例示されたが、これに限定されない）、拡充または変更が可能である。
【００１５】
実施例において、データドットコード列１０ｃの位置決めドットは、例えば、上、下、左、右の４つの可能方向へ偏移し、図３Ａに示すように、データドットコード列１０ｂの偏移位置決めドット１６ａ'は、上方へ偏移する位置決めドットである。しかし、偏移位置決めドット１６ａ'は、状態エリア１８においてこの偏移位置を有する場合、図３Ａと同一のデータドットコード列１０ｂのデータドット１６ｂ'が状態エリア１８の配置位置と同一になる可能性があるため、位置決めドット１６ａ'とデータドット１６ｂ'との間で判断ミスが起こる可能性がある（例えば位置決めドットがデータドットと誤判される又はデータドットが位置決めドットと誤判される）。従って、実施例において、図３Ｂに示すように、データドットコード列１０ｃの偏移位置決めドット１６ａ'は状態エリアの各偏移可能位置（例では４つであるが、これに限定されない）は、同一データドットコード列１０ｃの各データドット１６ｂが状態エリア中のいずれかの配置可能位置（例では４つであるがこれに限定されない）とはいずれも異なるため、同一データドットコード列中の偏移位置決めドット１６ａ'とデータドット１６ｂが状態エリア中において異なる配置形態を有することを確保して、上記の誤判が起こることを避ける。この他、偏移位置決めドット１６ａ'とデータドット１６ｂとの間に誤判が起こる可能性を避ける方法は、上記のデータドットコード列１０ｃのデータドット１６ｂの配置可能位置（４つ）をその他のデータドットコード列１０ｂ、１０ｄのデータドット１６ｂの配置可能位置（６つ）と異なるように設定する方法に限定されない。図３Ｃに示すように、ドットコード情報配列１０中のデータドットコード列１０ｃ中の偏移位置決めドット１６ａ'を状態エリアにおいて２種類の偏移可能位置のみに限定することもできる。例えば、図３Ｃに、左寄り及び右寄りの２種の偏移可能方法に限定することを例示している。このように、すべてのデータドットコード列１０ｂ、１０ｃ、１０ｄは、同一の配置可能位置（６つの配置可能位置）を有してもよく且つ各データドット１６ｂの配置位置はいずれも位置決めドット１６ａ'と同一にならず、同様に同一データドットコード列中の偏移位置決めドット１６ａ'とデータドット１６ｂが異なる配置形態を有することを確保して、誤判を防ぐことができる。
【００１６】
更に、データドットコード列１０ｂ、１０ｃ、１０ｄにおいて同様に第２配置形態を有するデータドット１６ｂの分布方法は、限定されない。別の実施例において、図４に示されたドットコード情報配列２０において、データドットコード列１０ｂ、１０ｄの各データドット１６ｂは、図５Ａに示されるように、状態エリア１８中の８種の異なる配置可能位置を有することにより、対応したインジケータのデータ中の個別数値を表すことができ、データドットコード列１０ｃの各データドット１６ｂは図５Ｂに示すように、状態エリア１８中４種の異なる配置可能位置を有することにより、対応したインジケータのデータ中の個別数値を表すことができる。１つのデータドットコード列１０ｂのみ配置する場合、83(=512)種の状態の組み合わせが生成でき、２つのデータドットコード列１０ｂ、１０ｃが配置される場合、83×43 (=32768)種の状態の組み合わせが生成でき、３つのデータドットコード列１０ａ、１０ｂ、１０ｃまで拡充される場合、83×43×83 (=16777216)種の状態の組み合わせが生成できる。このように、ドットコード情報配列２０が設置しようとする物体表面の形態、大きさ、必要なデータ量、読み取り方法などの要因によりデータドットコード列の数量を弾性的に変更することができる。
【００１７】
図６は、本発明の別の実施例のドットコード情報配列の概略図である。図６に示すように、ドットコード情報配列３０は、イニシャルドットコード列１０ａとイニシャルドットコード列１０ａ下方に続く３つのデータドットコード列１０ｂ−１０ｄを有する。イニシャルドットコード列１０ａは全て位置決めドット１６ａからなり、本実施例において、イニシャルドットコード列の４つの位置決めドット１６ａは、所定ピッチにより、ドットコード情報配列１０の長さ範囲を定義する列として配列され、且つ各位置決めドット１６ａがイニシャルドットコード列１０ａ中に同一の第１配置形態を有する。各データドットコード列１０ｂ‐１０ｄは、イニシャルドットコード列１０ａの数量と同一のドットを有し、これらドットのうちの一つ（例えば位置決めドット１６ａ）は、イニシャルドットコード列１０ａと同一の第１配置形態を有し、且つその他のドット（例えばデータドット１６ｂ）は、第１配置形態と異なる第２配置形態を有する。本実施例において、第１配置形態は、例えば各状態エリアの固定位置（例えば中心位置）に配置されてもよく、第２配置形態は、例えば各状態エリア中心の複数の配置可能位置を囲繞してもよく、且つ異なる配置可能位置は異なるビット値を表すことができる。ドットコード情報配列３０中のデータドットコード列１０ｂと１０ｄの位置決めドット１６ａは、いずれも最も左側の第１順位の状態エリア１８に位置する。そしてデータドットコード列１０ｃの位置決めドット１６ａ'は、最も右側の第４順位の状態エリア１８に位置する。従って、少なくとも一のデータドットコード列（例ではデータドットコード列１０ｃ）の位置決めドット１６ａ'を、その他のデータドットコード列と異なる順位の状態エリア１８に移動し、位置決めドット１６ａ'を偏移しなくても（位置決めドット１６ａ'は状態エリア１８の中心位置のままである）、ドットコード情報配列３０に対して方向付けの効果を有し、データドットコード列１０ｂ−１０ｄの89 (=134217728)種の組み合わせを正確にキャプチャする。
【００１８】
また、ドットコード情報配列１０の位置決めドット１６ａ、１６'及びデータドット１６ｂは、前記各実施例に示されたドットに限定されない。例えば、その他の外形のドットでもよい。
【００１９】
以上は、本発明の実施例に過ぎず、本発明が保護しようとする範囲を限定するものではない。すなわち本発明の特許請求の範囲及び発明の明細書内容に基づく簡単な等価変更及び修飾は、いずれも本発明の範囲内である。さらに、本発明のいかなる実施例または特許請求の範囲は、本発明に開示されたすべての目的又はメリット又は特徴を達成するものとは限らない。この他、本明細書または特許請求の範囲における「第１」、「第２」などの用語は部材の名称を命名したに過ぎず、または異なる実施例または範囲を区別したに過ぎず、部材の数量上の上限又は下限を制限するものではない。
【符号の説明】
【００２０】
１０，２０，３０  ドットコード情報配列
１０ａ  イニシャルドットコード列
１０ｂ、１０ｃ、１０ｄ  データドットコード列
１６ａ、１６ａ'  位置決めドット
１６ｂ、１６ｂ'  データドット 
１８  状態エリア
Ｐ  ライン方向  
【図１】
2017010561.tif 000003
【図２Ａ】
2017010561.tif 000004
【図２Ｂ】
2017010561.tif 000005
【図３Ａ】
2017010561.tif 000006
【図３Ｂ】
2017010561.tif 000007
【図３Ｃ】
2017010561.tif 000008
【図４】
2017010561.tif 000009
【図５Ａ】
2017010561.tif 000010
【図５Ｂ】
2017010561.tif 000011
【図６】
2017010561.tif 000012
【外国語明細書】
2017010561000001.pdf